(57)【特許請求の範囲】
【請求項１】
所定の間隔を空けて配置される少なくとも２つの光源と、
前記光源の前方に配置されて前記光源からの光の配光を制御する光学部材とを備え、
前記光学部材は、前記各光源にそれぞれ対応する形で設けられた少なくとも２つのレンズ部と、隣接する前記レンズ部間を連結する連結部とを有し、
前記連結部に、前記光源からの光を前面側に出射させる配光制御部が設けられていることを特徴とする照明器具。
【請求項２】
前記配光制御部は、少なくとも前記連結部の前面側に設けられた拡散面で構成されることを特徴とする請求項１記載の照明器具。
【請求項３】
前記配光制御部は、少なくとも前記連結部の前面側に設けられた凸状部で構成されることを特徴とする請求項１記載の照明器具。
【請求項４】
前記配光制御部は、少なくとも前記連結部の後面側に設けられた傾斜面で構成されることを特徴とする請求項１〜３の何れか１項に記載の照明器具。
【請求項５】
前記傾斜面には、前記光学部材における他の部位よりも反射率を高める表面処理が施されていることを特徴とする請求項４記載の照明器具。
【発明の詳細な説明】
【技術分野】
【０００１】
本発明は、照明器具に関するものである。
【背景技術】
【０００２】
従来より、天井に取付可能な照明装置が提供されている（例えば特許文献１参照）。この照明装置は、複数のＬＥＤ素子と、各ＬＥＤ素子の前方にそれぞれ配置されて対応するＬＥＤ素子から放射された光の配光を制御する複数の凸レンズとを備える。この照明装置では、各ＬＥＤ素子から放射された光をそれぞれ対応する凸レンズにより配光制御することで、所望の照明環境を実現することができる。
【先行技術文献】
【特許文献】
【０００３】
【特許文献１】特許第４４５３５５３号公報（段落［００３１］、及び、第６図）
【発明の概要】
【発明が解決しようとする課題】
【０００４】
上述の特許文献１に示した照明装置では、複数のＬＥＤ素子を用いているため、各ＬＥＤ素子にそれぞれ対応する形で凸レンズを設ける必要があるが、各ＬＥＤ素子に対して個々に凸レンズを取り付けた場合には組立工数もかかり、コストアップになってしまう。そのため、すべての凸レンズを１つの光学レンズとして一体に設けるのが好ましいが、この場合、各凸レンズ間に形成される繋ぎ目部分にもＬＥＤ素子からの光が入射され、繋ぎ目部分に入射された光は全反射することから、光の出射効率が低下するという問題があった。
【０００５】
本発明は上記問題点に鑑みて為されたものであり、その目的とするところは、光源から放射される光の出射効率を向上させた照明器具を提供することにある。
【課題を解決するための手段】
【０００６】
本発明の照明器具は、所定の間隔を空けて配置される少なくとも２つの光源と、光源の前方に配置されて光源からの光の配光を制御する光学部材とを備える。光学部材は、各光源にそれぞれ対応する形で設けられた少なくとも２つのレンズ部と、隣接するレンズ部間を連結する連結部とを有し、連結部に、光源からの光を前面側に出射させる配光制御部が設けられている。
【０００７】
この照明器具において、配光制御部は、少なくとも連結部の前面側に設けられた拡散面で構成されるのが好ましい。
【０００８】
また、この照明器具において、配光制御部は、少なくとも連結部の前面側に設けられた凸状部で構成されるのも好ましい。
【０００９】
さらに、この照明器具において、配光制御部は、少なくとも連結部の後面側に設けられた傾斜面で構成されるのも好ましい。
【００１０】
また、この照明器具において、傾斜面には、光学部材における他の部位よりも反射率を高める表面処理が施されているのも好ましい。
【発明の効果】
【００１１】
光源から放射される光の出射効率を向上させた照明器具を提供することができるという効果がある。
【図面の簡単な説明】
【００１２】
【図１】（ａ）〜（ｃ）は本実施形態の照明器具の要部を示す模式図である。
【図２】同上の一例を示す分解斜視図である。
【図３】（ａ）は前面側から見た同上の外観斜視図、（ｂ）は後面側から見た同上の外観斜視図である。
【図４】同上の要部拡大図である。
【発明を実施するための形態】
【００１３】
照明器具の実施形態を図面に基づいて説明する。本実施形態の照明器具は、例えばシーリングライトであり、天井に直接取り付けられて室内全体を照明するために用いられる。なお、以下の説明では本照明器具がシーリングライトの場合で説明するが、本照明器具はシーリングライトに限定されるものではなく、他の照明器具であってもよい。
【００１４】
図２は本実施形態の照明器具Ａの一例を示す分解斜視図であり、この照明器具Ａは、円盤状に形成された器具本体１と、器具本体１の中央部に配置される給電部５と、給電部５の周りに円環状に配置される発光部２とを備える。また照明器具Ａは、発光部２の前方に配置され、発光部２から放射された光の配光を制御する光学部材３と、光学部材３の前方に配置され、光学部材３により配光制御された発光部２からの光を拡散させる拡散部材４とを備える。
【００１５】
発光部２は、円弧状に湾曲する複数（図２では４個）の実装基板２１を有し、各実装基板２１の一面（図２中の上面）には、複数のＬＥＤ（発光ダイオード）２２が実装基板２１の幅方向において２列で且つ実装基板２１の長手方向に沿って実装されている。これらの実装基板２１は、図２に示すように器具本体１の中央部に配置された給電部５の周りに円環状に配置され、例えば取付ねじ（図示せず）を用いて器具本体１に取り付けられる。ここに本実施形態では、複数のＬＥＤ２２により光源が構成されている。
【００１６】
給電部５は、実装基板２１に実装された複数のＬＥＤ２２を点灯するための点灯電力を生成し、生成した点灯電力を電線（図示せず）を介して各実装基板２１にそれぞれ供給する。具体的には、給電部５は、外部電源（図示せず）から供給された交流電圧を所望の電圧値（ＬＥＤ２２を点灯させるのに必要な電圧値）の直流電圧に変換し、変換した直流電圧を各実装基板２１にそれぞれ供給するのである。なおこの給電部５は、例えば取付ねじ（図示せず）を用いて器具本体１に取り付けられる。
【００１７】
拡散部材４は、例えば光拡散剤を添加させた乳白色のアクリル樹脂により一面（図２中の下面）が開口するドーム状に形成され、光学部材３の前方から器具本体１に着脱自在に取り付けられる。
【００１８】
光学部材３は、透光性を有する材料（例えばアクリル樹脂、ポリカーボネート樹脂、ガラスなど）からなり、中央部に円形の開口部３１ａが形成された円盤状の本体部３１を有する。本体部３１の一面（図２中の上面）には、図２及び図４に示すように前方（図４中の上側）に凸となるレンズ部３２，３３が同心円状に２列に設けられている。ここに本実施形態では、各実装基板２１の内側（給電部５側）に実装されたＬＥＤ２２に対応する形でレンズ部３２が設けられ、また各実装基板２１の外側（給電部５と反対側）に実装されたＬＥＤ２２に対応する形でレンズ部３３が設けられている。また、器具本体１の径方向（図４中の左右方向）においてレンズ部３２とレンズ部３３の間には、これらのレンズ部３２，３３間を連結する連結部３４が一体に設けられている。さらに、各レンズ部３２，３３の後面側（図４中の下面側）には、対応するＬＥＤ２２を配置するための収納凹部３２ａ，３３ａがそれぞれ設けられている。以下、連結部３４の構成を図１に基づいて説明する。
【００１９】
図１（ａ）は連結部３４の一例を示す模式図であり、本例では連結部３４の前面（図１（ａ）中の上面）に、例えばシボやサンドブラストによって拡散面３４ａを形成している。そしてこの場合、ＬＥＤ２２から放射された光のうち連結部３４の前面に向かう光が、図１（ａ）に示すように全反射することなく、拡散面３４ａで拡散されて前方に出射される。
【００２０】
また、図１（ｂ）は連結部３４の他の例を示す模式図であり、本例では連結部３４の前面に複数の凸状部３４ｂを設けている。そしてこの場合、ＬＥＤ２２から放射された光のうち連結部３４の前面に向かう光が、図１（ｂ）に示すように全反射されることなく、凸状部３４ｂを透過して前方に出射される。
【００２１】
さらに、図１（ｃ）は連結部３４のさらに他の例を示す模式図であり、本例では連結部３４の後面に、前面側に行くにつれて互いに近づく方向に傾斜する一対の傾斜面３４ｃが設けられている。また、連結部３４の前面において一対の傾斜面３４ｃに対応する部位には、前方に突出する突台部３４ｄが設けられている。そしてこの場合、ＬＥＤ２２から放射された光のうち連結部３４側に向かう光が、図１（ｃ）に示すように傾斜面３４ｃで反射されて突台部３４ｄから前方に出射される。ここに本実施形態では、拡散面３４ａ、凸状部３４ｂ、又は傾斜面３４ｃにより配光制御部が構成されている。
【００２２】
次に、照明器具Ａの組立手順について説明する。作業者が、器具本体１の中央部に給電部５を取り付けるとともに、器具本体１の一面（図２中の上面）に実装基板２１を取り付けた後、給電部５と各実装基板２１との間を電線（図示せず）を用いて電気的に接続する。その後作業者が、各実装基板２１を覆うように前方から光学部材３を器具本体１に取り付けた後、さらに前方から拡散部材４を器具本体１に取り付けることで、照明器具Ａの組み立てが完了する（図３（ａ）（ｂ）参照）。
【００２３】
そして、給電部５の後面側に一体に設けられた引掛けコネクタ６（図３（ｂ）参照）を、天井に設けられた引掛けシーリング（図示せず）に取り付けることで、照明器具Ａの施工が完了する。
【００２４】
而して本実施形態によれば、レンズ部３２，３３を連結する連結部３４に配光制御部（拡散面３４ａ、凸状部３４ｂ、傾斜面３４ｃのうちの１つ）を設けることによって、連結部３４に向けて放射されたＬＥＤ２２からの光を、連結部３４の前面で全反射されることなく、前方に出射することができる。そのため、連結部３４から前方に出射された光の分だけ出射効率を向上させることができるとともに、レンズ部３２，３３間の輝度を高めることもできる。また、図１（ｂ）に示すように連結部３４の前面に凸状部３４ｂを設けた場合には、連結部３４の前面に拡散面３４ａを形成した場合に比べて表面ロスを少なくすることができる。
【００２５】
ここにおいて、例えばアルミニウムや銀などを各傾斜面３４ｃに蒸着させて各傾斜面３４ｃの反射率を高めてもよい。この場合、傾斜面３４ｃで反射させる光量を増加させることができるので、光の出射効率をさらに向上させることができるとともに、レンズ部３２，３３間の輝度をさらに高めることができる。
【００２６】
なお本実施形態では、配光制御部として拡散面３４ａ、凸状部３４ｂ、傾斜面３４ｃのうちの何れか１つを連結部３４に設けているが、拡散面３４ａ、凸状部３４ｂ、傾斜面３４ｃを組み合わせてもよく、同様に光の出射効率を向上させることができるとともに、レンズ部３２，３３間の輝度を高めることもできる。また光源についてもＬＥＤに限定されるものではなく、例えば有機ＥＬなどであってもよい。さらに、ＬＥＤ２２及びレンズ部３２，３３の配置は円環状に限定されるものではなく、例えば四角環状や直線状であってもよい。
【符号の説明】
【００２７】
３  光学部材
２２  ＬＥＤ（光源）
３２，３３  レンズ部
３４  連結部
３４ａ  拡散面（配光制御部）
Ａ  照明器具
【図１】
0005857261.tif 000002
【図２】
0005857261.tif 000003
【図３】
0005857261.tif 000004
【図４】
0005857261.tif 000005